【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
航海効率の解析方法であって、
船舶の終了した航海の履歴データを取得すること、
船舶のモデル及び履歴データを用いてプロセッサユニット上で実行されるソフトウェアアプリケーションにより、終了した航海に関してベースライン航海ソリューションを生成すること、並びに
ベースライン航海ソリューションを、終了した航海に使用された実際の航海ソリューションと比較することにより比較結果を作成すること
を含む方法。
【請求項２】
ベースライン航海ソリューションを、終了した航海に使用された実際の航海ソリューションと比較することにより比較結果を作成するステップが、
ベースライン航海ソリューションに関して生成された第１の任意の数のパラメータを特定すること、
終了した航海に使用された実際の航海ソリューションに関して生成された第２の任意の数のパラメータを特定すること、並びに
第１の任意の数のパラメータと第２の任意の数のパラメータとを比較することにより比較結果を作成すること
を含む、請求項１に記載の方法。
【請求項３】
比較するステップが、
終了した航海に関するベースライン航海ソリューションの複数の区間の各々を、終了した航海に使用された実際の航海ソリューションの複数の区間のうちの対応する区間と比較することにより、比較結果を作成すること
を含む、請求項１に記載の方法。
【請求項４】
船舶が第１の船舶であり、履歴データが第１の船舶の履歴データであり、終了した航海が第１の終了した航海であり、ベースライン航海ソリューションが第１の船舶の第１のベースライン航海ソリューションであり、ソフトウェアアプリケーションが第１のソフトウェアアプリケーションであり、モデルが第１の船舶の第１のモデルであり、実際の航海ソリューションが第１の船舶の実際の航海ソリューションであり、且つ比較結果が第１の船舶に関する第１の比較結果であって、更に、
任意の数の船舶の任意の数の終了した航海に関する履歴データを取得すること、
任意の数の船舶の任意の数のモデルと履歴データとを使用する任意の数のソフトウェアアプリケーションにより、任意の数の終了した航海に関して任意の数のベースライン航海ソリューションを生成すること、
任意の数のベースライン航海ソリューションを、それに対応する、任意の数の航海に使用された任意の数の実際の航海ソリューションと比較することにより、任意の数の比較結果を作成すること、並びに
第１の比較結果と任意の数の比較結果とを解析することにより、第１のソフトウェアアプリケーションと任意の数のソフトウェアアプリケーションのうちの正確な方を特定すること
を含む、請求項１に記載の方法。
【請求項５】
船舶の第１の初期モデルを作成すること、
船舶が以前に終了した航海の履歴データを取得すること、
初期モデルを使用して、船舶が以前に終了した航海をシミュレーションすることにより、シミュレーションされた航海を作成すること、
以前に終了した航海の性能データを、シミュレーションされた航海の性能データと比較することにより、相関係数を特定すること、及び
相関係数を使用して初期モデルを変更すること、並びに
初期モデルを使用して、船舶が以前に終了した航海をシミュレーションすることにより、シミュレーションされた航海ソリューションを作成するステップ、以前に終了した航海の性能データを、シミュレーションされた航海の性能データと比較することにより、相関係数を特定するステップ、並びに所望の相関係数が得られるまで相関係数を使用して初期モデルを較正することにより、船舶のモデルを作成するステップを繰返すこと、
を更に含む、請求項１に記載の方法。
【請求項６】
船舶のモデルを変更して船舶の新たなモデルを作成すること、
船舶の新たなモデルと履歴データとを使用してプロセッサユニット上で実行されるソフトウェアアプリケーションにより、終了した航海に関する新たな航海ソリューションを生成すること、並びに
新たな航海ソリューションを、終了した航海に使用された実際の航海ソリューションと比較することにより新たな比較結果を作成すること
を更に含む、請求項１に記載の方法。
【請求項７】
新たな比較結果が比較結果より優良である場合、船舶のモデルへの変更に基づいて船舶に変更を加えること
を更に含む、請求項６に記載の方法。
【請求項８】
船舶のモデルが、船舶の船体設計、任意の数のエンジン出力特性、任意の数のプロペラの曲線、船舶の喫水、及び任意の数の安全動作限界のうちの少なくとも一つを含んでいる、請求項１に記載の方法。
【手続補正２】
【補正対象書類名】明細書
【補正対象項目名】０１１２
【補正方法】変更
【補正の内容】
【０１１２】
また、本願は以下に記載する態様を含む。
（態様１）
航海効率の解析方法であって、
船舶の終了した航海の履歴データを取得すること、
船舶のモデル及び履歴データを用いてプロセッサユニット上で実行されるソフトウェアアプリケーションにより、終了した航海に関してベースライン航海ソリューションを生成すること、並びに
ベースライン航海ソリューションを、終了した航海に使用された実際の航海ソリューションと比較することにより比較結果を作成すること
を含む方法。
（態様２）
ベースライン航海ソリューションを、終了した航海に使用された実際の航海ソリューションと比較することにより比較結果を作成するステップが、
ベースライン航海ソリューションに関して生成された第１の任意の数のパラメータを特定すること、
終了した航海に使用された実際の航海ソリューションに関して生成された第２の任意の数のパラメータを特定すること、並びに
第１の任意の数のパラメータと第２の任意の数のパラメータとを比較することにより比較結果を作成すること
を含む、態様１に記載の方法。
（態様３）
第１の任意の数のパラメータと第２の任意の数のパラメータとを比較することにより比較結果を作成するステップが、
第１の任意の数のパラメータと第２の任意の数のパラメータとの間の差異を特定することにより、パーセンテージで表わされる比較結果を作成すること
を含む、態様２に記載の方法。
（態様４）
比較するステップが、
終了した航海に関するベースライン航海ソリューションの複数の区間の各々を、終了した航海に使用された実際の航海ソリューションの複数の区間のうちの対応する区間と比較することにより、比較結果を作成すること
を含む、態様１に記載の方法。
（態様５）
船舶が第１の船舶であり、履歴データが第１の船舶の履歴データであり、終了した航海が第１の終了した航海であり、ベースライン航海ソリューションが第１の船舶の第１のベースライン航海ソリューションであり、ソフトウェアアプリケーションが第１のソフトウェアアプリケーションであり、モデルが第１の船舶の第１のモデルであり、実際の航海ソリューションが第１の船舶の実際の航海ソリューションであり、且つ比較結果が第１の船舶に関する第１の比較結果であって、更に、
任意の数の船舶の任意の数の終了した航海に関する履歴データを取得すること、
任意の数の船舶の任意の数のモデルと履歴データとを使用する任意の数のソフトウェアアプリケーションにより、任意の数の終了した航海に関して任意の数のベースライン航海ソリューションを生成すること、
任意の数のベースライン航海ソリューションを、それに対応する、任意の数の航海に使用された任意の数の実際の航海ソリューションと比較することにより、任意の数の比較結果を作成すること、並びに
第１の比較結果と任意の数の比較結果とを解析することにより、第１のソフトウェアアプリケーションと任意の数のソフトウェアアプリケーションのうちの正確な方を特定すること
を含む、態様１に記載の方法。
（態様６）
船舶の第１の初期モデルを作成すること、
船舶が以前に終了した航海の履歴データを取得すること、
初期モデルを使用して、船舶が以前に終了した航海をシミュレーションすることにより、シミュレーションされた航海を作成すること、
以前に終了した航海の性能データを、シミュレーションされた航海の性能データと比較することにより、相関係数を特定すること、並びに
相関係数を使用して初期モデルを変更すること
を更に含む、態様１に記載の方法。
（態様７）
初期モデルを使用して、船舶が以前に終了した航海をシミュレーションすることにより、シミュレーションされた航海ソリューションを作成するステップ、以前に終了した航海の性能データを、シミュレーションされた航海の性能データと比較することにより、相関係数を特定するステップ、並びに所望の相関係数が得られるまで相関係数を使用して初期モデルを較正することにより、船舶のモデルを作成するステップを繰返すこと
を更に含む、態様６に記載の方法。
（態様８）
船舶のモデルを変更して船舶の新たなモデルを作成すること、
船舶の新たなモデルと履歴データとを使用してプロセッサユニット上で実行されるソフトウェアアプリケーションにより、終了した航海に関する新たな航海ソリューションを生成すること、並びに
新たな航海ソリューションを、終了した航海に使用された実際の航海ソリューションと比較することにより新たな比較結果を作成すること
を更に含む、態様１に記載の方法。
（態様９）
新たな比較結果が比較結果より優良である場合、船舶のモデルへの変更に基づいて船舶に変更を加えること
を更に含む、態様８に記載の方法。
（態様１０）
性能が、燃料効率、速力、及び目的地点に定刻に到着する確率のうちから選択される少なくとも一つである、態様９に記載の方法。
（態様１１）
船舶への変更が、船舶の船体を塗装すること、船舶の船体を洗浄すること、船舶の任意の数のプロペラを研磨すること、船舶に任意の数の新たなプロペラを追加すること、及び船体を改修することのうちから選択される少なくとも一つである、態様９に記載の方法。
（態様１２）
船舶のモデルが、船舶の船体設計、任意の数のエンジン出力特性、任意の数のプロペラの曲線、船舶の喫水、及び任意の数の安全動作限界のうちの少なくとも一つを含んでいる、態様１に記載の方法。
（態様１３）
履歴データが、風、波の高さ、海流、及び温度のうちの少なくとも一つを含んでいる、態様１に記載の方法。
（態様１４）
航海効率が、ベースライン航海ソリューションの燃料消費を、終了した航海の実際の燃料消費で除した商である、態様１に記載の方法。
（態様１５）
航海効率を解析するためのコンピュータプログラム製品であって、
コンピュータで読み取り可能な記憶媒体、
コンピュータで記録可能な記憶媒体上に記憶されたプログラムコードであって、船舶の終了した航海の履歴データを取得するためのプログラムコード、
コンピュータで記録可能な記憶媒体上に記憶されたプログラムコードであって、船舶のモデルと履歴データとを用いてプロセッサユニット上で実行されるソフトウェアアプリケーションにより、終了した航海に関してベースライン航海ソリューションを生成するためのプログラムコード、並びに、
コンピュータで記録可能な記憶媒体上に記憶されたプログラムコードであって、ベースライン航海ソリューションを、終了した航海に使用された実際の航海ソリューションと比較することにより比較結果を作成するためのプログラムコード
を備えるコンピュータプログラム製品。
（態様１６）
データ処理システムであって、
プログラムコードを含む記憶装置と、
記憶装置と通信するプロセッサユニットであって、プログラムコードを実行することにより、船舶の終了した航海の履歴データを取得すること、船舶のモデル及び履歴データを使用してプロセッサユニット上で実行されるソフトウェアアプリケーションを用いて、終了した航海に関してベースライン航海ソリューションを生成すること、並びに、ベースライン航海ソリューションを、終了した航海に使用された実際の航海ソリューションと比較して比較結果を作成することができるプロセッサユニットと
を備えるデータ処理システム。
（態様１７）
プログラムコードを実行することにより、ベースライン航海ソリューションを、終了した航海に使用された実際の航海ソリューションと比較して比較結果を作成することにおいて、プロセッサユニットが、プログラムコードを実行することにより、ベースライン航海ソリューションに関して生成された第１の任意の数のパラメータを特定すること、終了した航海に使用された実際の航海ソリューションに関して生成された第２の任意の数のパラメータを特定すること、並びに、第１の任意の数のパラメータを、第２の任意の数のパラメータと比較して比較結果を作成することができる、態様１６に記載のデータ処理システム。
（態様１８）
プログラムコードを実行することにより、第１の任意の数のパラメータを、第２の任意の数のパラメータと比較して比較結果を作成することにおいて、プロセッサユニットが、プログラムコードを実行することにより、第１の任意の数のパラメータと、第２の任意の数のパラメータとの差異を特定して、パーセンテージで表される比較結果を作成することができる、態様１７に記載のデータ処理システム。
（態様１９）
プログラムコードを実行することにより、ベースライン航海ソリューションを、終了した航海に使用された実際の航海ソリューションと比較して比較結果を作成することにおいて、プロセッサユニットが、プログラムコードを実行することにより、終了した航海に関するベースライン航海ソリューションの複数の区間の各々を、終了した航海に使用された実際の航海ソリューションの複数の区間のうちの対応する区間と比較することにより比較結果を作成することができる、態様１６に記載のデータ処理システム。
（態様２０）
船舶が第１の船舶であり、履歴データが第１の船舶の履歴データであり、終了した航海が第１の終了した航海であり、ベースライン航海ソリューションが第１の船舶の第１のベースライン航海ソリューションであり、ソフトウェアアプリケーションが第１のソフトウェアプリケーションであり、モデルが第１の船舶の第１のモデルであり、比較結果が第１の船舶の第１の比較結果であって、プロセッサユニットが、更に、プログラムコードを実行することによって、任意の数の船舶の任意の数の終了した航海に関する履歴データを取得すること、任意の数の船舶の任意の数のモデルと履歴データとを用いる任意の数のソフトウェアアプリケーションにより、任意の数の終了した航海に関して任意の数のベースライン航海ソリューションを生成すること、任意の数のベースライン航海ソリューションを、それと対応する、任意の数の終了した航海に使用された任意の数の実際の航海ソリューションと比較して任意の数の比較結果を作成すること、並びに、第１の比較結果と、任意の数の比較結果とを解析することにより、第１の比較結果と任意の数の比較結果のうち正確な方を特定することができる、態様１６に記載のデータ処理システム。